(57)【要約】【課題】乗車後、優先して設定する必要のある車両環境設定項目の設定を行うまでの時間を短縮できるようにする。【解決手段】携帯装置２０は、ユーザの車両環境を表す車両環境設定情報を記憶した記憶部２２を備え、車載装置１０は、携帯装置２０から記憶部２２に記憶された車両環境設定情報のうち優先度の高い第１の車両環境設定情報のみを取得し、この第１の車両環境設定情報を車両の運転環境設定を行う各部５１〜５９へ送信して車両の運転環境の設定を行わせた後、携帯装置２０から第１の車両環境設定情報よりも優先度の低い第２の車両環境設定情報を取得し、この第２の車両環境設定情報を車両の運転環境設定を行う各部５１〜５９へ送信して車両の運転環境の設定を行わせる。【選択図】図１
2009274558.tif 000002
【特許請求の範囲】
【請求項１】
車両に搭載された車載装置と、当該車両に乗車するユーザが携帯可能な携帯装置を備えた運転環境設定システムであって、
前記携帯装置は、
当該携帯装置を携帯するユーザの車両環境を表す車両環境設定情報を記憶した記憶部と、
前記車載装置と通信する第１の通信部を備え、
前記車載装置は、
前記第１の通信部を介して前記携帯装置と通信する第２の通信部と、
前記第２の通信部を介して前記携帯装置を検出したことを判定した場合、前記第２の通信部を介して前記携帯装置から前記記憶部に記憶された前記車両環境設定情報のうち優先度の高い車両環境設定情報のみを取得し、当該取得した車両環境設定情報を前記車両の運転環境設定を行う各部へ送信して前記車両の運転環境の設定を行わせる第１の車両環境設定情報送信手段と、
前記第１の車両環境設定情報送信手段による前記車両環境設定情報の送信後、前記第２の通信部を介して前記携帯装置から前記優先度の高い車両環境設定情報よりも優先度の低い車両環境設定情報を取得し、当該取得した車両環境設定情報を前記車両の運転環境設定を行う各部へ送信して前記車両の運転環境の設定を行わせる第２の車両環境設定情報送信手段と、を備えたことを特徴とする車両環境設定システム。
【請求項２】
前記携帯装置の前記記憶部には、ユーザが前記車両へ乗車する際に早期に設定する必要のある車両環境設定情報と、ユーザが前記車両へ乗車する際に早期に設定する必要のない車両環境設定情報が分割して記憶されており、
前記第１の車両環境設定情報送信手段は、ユーザが前記車両へ乗車する際に早期に設定する必要のある車両環境設定情報を前記優先度の高い車両環境設定情報として前記携帯装置から取得し、
前記第２の車両環境設定情報送信手段は、ユーザが前記車両へ乗車する際に早期に設定する必要のない車両環境設定情報を前記優先度の高い車両環境設定情報よりも優先度の低い車両環境設定情報として前記携帯装置から取得することを特徴とする請求項１に記載の車両環境設定システム。
【請求項３】
ユーザが前記車両へ乗車する際に実施する複数の操作を検出する操作検出部を備え、
前記携帯装置の前記記憶部には、前記操作検出部により検出される前記複数の操作に対応付けて前記車両環境設定情報が分類されて記憶されており、
前記第１の車両環境設定情報送信手段は、ユーザが前記車両へ乗車する際に前記操作検出部により最初に検出される特定の操作に対応付けられた前記車両環境設定情報を前記優先度の高い車両環境設定情報として前記携帯装置から取得し、
前記第２の車両環境設定情報送信手段は、前記操作検出部により検出された前記特定の操作よりも後に検出された特定の操作に対応付けられた前記車両環境設定情報を前記優先度の高い車両環境設定情報よりも優先度の低い車両環境設定情報として前記携帯装置から取得することを特徴とする請求項１に記載の車両環境設定システム。
【発明の詳細な説明】
【技術分野】
【０００１】
本発明は、車両に搭載された車載装置と、車両に乗車するユーザが携帯可能な携帯装置を備えた運転環境設定システムに関するものである。
【背景技術】
【０００２】
従来、運転者が乗車の際に設定できる乗車環境運転形態事項の設定値が予め定め記憶されているＩＣカードを乗車する自動車の車載機器にセットし、ＩＣカードに記憶されている乗車運転環境形態事項設定値を車載機器によって読み出し、この読み出した乗車運転環境形態事項設定値によってＩＣカード所有者の乗車環境運転形態事項を自動設定するようにしたシステムがある（例えば、特許文献１参照）。
【特許文献１】特開２００２−１２０６７０号公報
【発明の開示】
【発明が解決しようとする課題】
【０００３】
上記特許文献１に記載されたようなシステムは、乗車する自動車の車載機器にＩＣカードがセットされると、車載機器によりＩＣカードに記憶されている乗車環境運転形態事項の設定値が一度に読み込まれ、この読み込まれた乗車環境運転形態事項の設定値によってＩＣカード所有者の乗車環境運転形態事項が自動設定されるようになっている。しかしながら、ＩＣカードに記憶されている乗車環境運転形態事項の設定値を読み込み終えるまでに比較的長い時間がかかるため、その間、車両環境設定項目の設定を行うことができない。したがって、例えば、シートポジションの設定やステアリングポジションの設定など、運転者が乗車後、優先して設定する必要のある車両環境設定項目の設定が完了するまでに時間がかかり、ユーザはこれらの設定が完了するまで待機しなければならないという問題があった。
【０００４】
本発明は上記問題に鑑みたもので、乗車後、優先して設定する必要のある車両環境設定項目の設定を行うまでの時間を短縮できるようにすることを目的とする。
【課題を解決するための手段】
【０００５】
上記目的を達成するため、請求項１に記載の発明は、車両に搭載された車載装置と、車両に乗車するユーザが携帯可能な携帯装置を備えた運転環境設定システムであって、携帯装置は、当該携帯装置を携帯するユーザの車両環境を表す車両環境設定情報を記憶した記憶部と、車載装置と通信する第１の通信部を備え、車載装置は、第１の通信部を介して携帯装置と通信する第２の通信部と、第２の通信部を介して携帯装置を検出したことを判定した場合、第２の通信部を介して携帯装置から記憶部に記憶された車両環境設定情報のうち優先度の高い車両環境設定情報のみを取得し、当該取得した車両環境設定情報を車両の運転環境設定を行う各部へ送信して車両の運転環境の設定を行わせる第１の車両環境設定情報送信手段と、第１の車両環境設定情報送信手段による車両環境設定情報の送信後、第２の通信部を介して携帯装置から優先度の高い車両環境設定情報よりも優先度の低い車両環境設定情報を取得し、当該取得した車両環境設定情報を車両の運転環境設定を行う各部へ送信して車両の運転環境の設定を行わせる第２の車両環境設定情報送信手段と、を備えたことを特徴としている。
【０００６】
このような構成によれば、第２の通信部を介して携帯装置を検出したことを判定した場合、第２の通信部を介して携帯装置から記憶部に記憶された車両環境設定情報のうち優先度の高い車両環境設定情報のみを取得し、当該取得した車両環境設定情報を車両の運転環境設定を行う各部へ送信して車両の運転環境の設定を行わせた後、第２の通信部を介して携帯装置から優先度の高い車両環境設定情報よりも優先度の低い車両環境設定情報を取得し、当該取得した車両環境設定情報を車両の運転環境設定を行う各部へ送信して車両の運転環境の設定を行わせるので、乗車後、優先して設定する必要のある車両環境設定項目の設定を行うまでの時間を短縮することができる。
【０００７】
また、請求項２に記載の発明は、携帯装置の記憶部には、ユーザが車両へ乗車する際に早期に設定する必要のある車両環境設定情報と、ユーザが車両へ乗車する際に早期に設定する必要のない車両環境設定情報が分割して記憶されており、第１の車両環境設定情報送信手段は、ユーザが車両へ乗車する際に早期に設定する必要のある車両環境設定情報を優先度の高い車両環境設定情報として携帯装置から取得し、第２の車両環境設定情報送信手段は、ユーザが車両へ乗車する際に早期に設定する必要のない車両環境設定情報を優先度の高い車両環境設定情報よりも優先度の低い車両環境設定情報として携帯装置から取得することを特徴としている。
【０００８】
このような構成によれば、ユーザが車両へ乗車する際に早期に設定する必要のある車両環境設定情報を優先度の高い車両環境設定情報として携帯装置から取得し、当該取得した車両環境設定情報を車両の運転環境設定を行う各部へ送信して車両の運転環境の設定を行わせた後、ユーザが車両へ乗車する際に早期に設定する必要のない車両環境設定情報を優先度の高い車両環境設定情報よりも優先度の低い車両環境設定情報として携帯装置から取得し、当該取得した車両環境設定情報を車両の運転環境設定を行う各部へ送信して車両の運転環境の設定を行わせるので、ユーザが車両へ乗車する際に早期に設定する必要のある車両環境設定項目の設定を行うまでの時間を短縮することができる。
【０００９】
また、請求項３に記載の発明は、ユーザが車両へ乗車する際に実施する複数の操作を検出する操作検出部を備え、携帯装置の記憶部には、操作検出部により検出される複数の操作に対応付けて車両環境設定情報が分類されて記憶されており、第１の車両環境設定情報送信手段は、ユーザが車両へ乗車する際に操作検出部により最初に検出される特定の操作に対応付けられた車両環境設定情報を優先度の高い車両環境設定情報として携帯装置から取得し、第２の車両環境設定情報送信手段は、操作検出部により検出された特定の操作よりも後に検出された特定の操作に対応付けられた車両環境設定情報を優先度の高い車両環境設定情報よりも優先度の低い車両環境設定情報として携帯装置から取得することを特徴としている。
【００１０】
このような構成によれば、ユーザが車両へ乗車する際に操作検出部により最初に検出される特定の操作に対応付けられた車両環境設定情報を優先度の高い車両環境設定情報として携帯装置から取得し、当該取得した車両環境設定情報を車両の運転環境設定を行う各部へ送信して車両の運転環境の設定を行わせた後、操作検出部により検出された特定の操作よりも後に検出された特定の操作に対応付けられた車両環境設定情報を優先度の高い車両環境設定情報よりも優先度の低い車両環境設定情報として携帯装置から取得し、当該取得した車両環境設定情報を車両の運転環境設定を行う各部へ送信して車両の運転環境の設定を行わせるので、ユーザが車両へ乗車する際に操作検出部により最初に検出される特定の操作に対応付けられた車両環境設定項目の設定を行うまでの時間を短縮することができる。
【発明を実施するための最良の形態】
【００１１】
（第１実施形態）
本発明の第１実施形態に係る運転環境設定システムの構成を図１に示す。本運転環境設定システムは、運転者となるユーザが車両１００に乗車することにより、車両１００の運転環境をそのユーザ用の運転環境に自動的に設定するためのものであり、車載装置１０及び携帯装置２０により構成されている。
【００１２】
車載装置１０は、制御部１１及び通信部１２を備える。制御部１１は、ＣＰＵ、ＲＯＭ、ＲＡＭ等からなるマイクロコンピュータを中心に構成されており、各種処理を実行する。また、制御部１１には、ドアＥＣＵ（図示せず）からドアの開閉状態を示す信号が入力され、エンジンＥＣＵ（図示せず）からエンジンがオン状態か否かを示す信号が入力され、ブレーキＥＣＵ（図示せず）からパーキングブレーキがオン状態か否かを示す信号が入力されるようになっている。また、制御部１１は、車両１００に搭載された各種制御装置５１〜５９等と通信可能に接続されている。
【００１３】
ここで、各種制御装置５１〜５９は、運転者の好みに応じた運転環境の設定（変更）を可能とするものである。本実施形態では、シート位置制御装置５１、ステアリング位置制御装置５２、ミラー位置制御装置５３、空調制御装置５４、オーディオ制御装置５５、ナビゲーション制御装置５６、情報表示制御装置５７、エンジン制御装置５８、走行制御装置５９が搭載されている。
【００１４】
これらの制御装置５１〜５９は、いずれも、車両１００に乗車したユーザによる外部操作に従い、運転環境を設定（変更）可能に構成されている。例えば、シート位置制御装置５１は、外部操作に従い、電動シートである運転席の位置（座面の高さや前後方向の位置等）を調整する。ここで、シート位置制御装置５１により実現可能な運転環境（座面の高さや前後方向の位置等）は、車両環境設定情報（例えば数値データ）として表される。そして、シート位置制御装置５１は、外部から車両環境設定情報が直接入力されることにより、その車両環境設定情報の表す運転環境を再現可能に構成されている。つまり、車両環境設定情報を入力すれば、外部操作による微調整等を行わなくても、運転環境を正確に再現させることができる。
【００１５】
なお、ここではシート位置制御装置５１を例に挙げて説明したが、他の制御装置５２〜５９も同様であり、車両環境設定情報が入力されることにより、その車両環境設定情報の表す運転環境を再現可能に構成されている。
【００１６】
通信部１２は、携帯装置２０との間で近距離無線通信を行うためのものであり、少なくとも当該車載装置１０の搭載された車両１００の室内全域をカバーする通信エリア（近距離無線通信可能なエリア）に存在する携帯装置２０との間で無線通信が可能となる。なお、近距離無線通信としては、例えば、Ｂｌｕｅｔｏｏｔｈ（登録商標）、ＤＳＲＣ（Ｄｅｄｉｃａｔｅｄ Ｓｈｏｒｔ Ｒａｎｇｅ Ｃｏｍｍｕｎｉｃａｔｉｏｎ）、無線ＬＡＮ、ＺＩＧＢＥＥ（登録商標）等が挙げられる。
【００１７】
また、携帯装置２０は、車両１００に乗車するユーザが携帯可能な可搬型端末であり、本運転環境設定システムを利用するユーザ（車両１００を運転し得るユーザ）により所持される。
【００１８】
携帯装置２０は、制御部２１、記憶部２２及び通信部２３を備えている。制御部２１は、ＣＰＵ、ＲＯＭ、ＲＡＭ等からなるマイクロコンピュータを中心に構成されており、各種処理を実行する。
【００１９】
記憶部２２は、各種情報を記憶可能に構成されている。そして、記憶部２２には、当該携帯装置２０を所持するユーザに固有の識別情報であるユーザ識別情報と、同ユーザの車両環境を表す車両環境設定情報が、あらかじめ記憶されている。
【００２０】
なお、車両環境設定情報は、所定の手順により携帯装置２０の記憶部２２に記憶される。本実施形態では、車両１００において、ユーザの外部操作によりそのユーザ用の運転環境が設定された後、車両環境設定情報の登録操作が携帯装置２０で行われると、携帯装置２０が、車両環境設定情報の登録指令を車載装置１０へ送信する。すると、登録指令を受信した車載装置１０が、その時点での車両１００の運転環境（ユーザが外部操作により設定した運転環境）を表す車両環境設定情報を送信元の携帯装置２０へ送信し、携帯装置２０が、受信した車両環境設定情報を記憶部２２に記憶する。
【００２１】
通信部２３は、車載装置１０との間で近距離無線通信を行うためのものであり、車両１００の室内全域をカバーする通信エリアにおいて車載装置１０との間で無線通信が可能となる。
【００２２】
なお、本実施形態の運転環境設定システムにおいて、携帯装置２０は、携帯電話端末を用いて構成されている。
【００２３】
次に、図２に従って、本実施形態の運転環境設定システムを構成する車載装置１０の制御部１１で実行される車両環境設定処理について説明する。この車両環境設定処理は、運転者が車両１００に乗車したことを検出した時点で開始される。なお、運転者が車両１００に乗車したことの検出は、例えば、運転席に設けられた着座センサによりユーザの着座を検出することにより行うことができる。
【００２４】
制御部１１は、車両環境設定処理を開始すると、まず、携帯装置２０からの接続要求の待ち受け状態となり、携帯装置２０からの接続要求があるか否かに基づいて携帯装置２０が検出されたか否かを判定する（Ｓ１００）。
【００２５】
ここで、携帯装置２０からの接続要求がない場合、Ｓ１００の判定はＮＯとなり、Ｓ１００の判定を繰り返す。また、携帯装置２０からの接続要求があると、Ｓ１００の判定はＹＥＳとなり、次に、携帯装置２０に対し、第１の車両環境設定情報の送信を要求する（Ｓ１０２）。本実施形態における携帯装置２０の記憶部２２には、図３に示すように、優先度の高い第１の車両環境設定情報と、この第１の車両環境設定情報よりも優先度の低い第２の車両環境設定情報とが分割して記憶されている。第１の車両環境設定情報は、乗車後すぐに設定が必要な運転環境を設定するための情報であり、シートポジション、ステアリングポジション、ミラーポジション、走行系制御設定などの各設定情報が含まれる。また、第２の車両環境設定情報は、乗車後すぐに設定が必要ではない運転環境を設定するための情報であり、エアコン設定、オーディオ設定、ナビゲーション機能におけるメモリ地点などの各設定情報が含まれる。ここでは、第１の車両環境設定情報の送信を要求する。なお、携帯装置２０の制御部２１は、制御部１１による第１の車両環境設定情報の送信を要求に応じて第１の車両環境設定情報を車載装置１０へ送信し、制御部１１による第２の車両環境設定情報の送信を要求に応じて第２の車両環境設定情報を車載装置１０へ送信するようになっている。
【００２６】
続いて、Ｓ１０４では、携帯装置２０より送信される第１の車両環境設定情報を受信する。
【００２７】
続いて、Ｓ１０６では、Ｓ１０４にて受信した第１の車両環境設定情報を車両１００の運転環境設定を行う各制御装置へ送信する。具体的には、Ｓ１０４にて受信した第１の車両環境設定情報を、車両１００の運転環境設定を行う各種制御装置等へ送信して、各種制御装置に車両１００の運転環境の設定を行わせる。これにより、シートポジション、ステアリングポジション、ミラーポジション、走行系制御設定などの車両１００の運転環境が、運転者用の運転環境に設定される。
【００２８】
続いて、携帯装置２０に対し、第２の車両環境設定情報の送信を要求する（Ｓ１０８）。
【００２９】
続いて、Ｓ１１０では、携帯装置２０より送信される第２の車両環境設定情報を受信する。
【００３０】
続いて、Ｓ１１２では、Ｓ１１０にて受信した第２の車両環境設定情報を車両１００の運転環境設定を行う各制御装置へ送信する。具体的には、Ｓ１１０にて受信した第２の車両環境設定情報を、車両１００の運転環境設定を行う各種制御装置等へ送信して、各種制御装置に車両１００の運転環境の設定を行わせる。これにより、エアコン設定、オーディオ設定、ナビゲーション機能におけるメモリ地点などの車両１００の運転環境が、運転者用の運転環境に設定される。
【００３１】
上記したように、携帯装置２０から優先度の高い第１の車両環境設定情報のみを取得し、当該取得した第１の車両環境設定情報を車両１００の運転環境設定を行う各種制御装置等へ送信して、各種制御装置に車両１００の運転環境の設定を行わせた後、携帯装置２０から第１の車両環境設定情報よりも優先度の低い第２の車両環境設定情報を取得し、当該取得した第２の車両環境設定情報を車両１００の運転環境設定を行う各種制御装置等へ送信して、各種制御装置に車両１００の運転環境の設定を行わせ、本処理を終了する。
【００３２】
上記した構成によれば、通信部１３を介して携帯装置２０を検出したことを判定した場合、ユーザが車両へ乗車する際に早期に設定する必要のある車両環境設定情報を優先度の高い車両環境設定情報として携帯装置から取得し、当該取得した車両環境設定情報を車両の運転環境設定を行う各部へ送信して車両の運転環境の設定を行わせた後、ユーザが車両へ乗車する際に早期に設定する必要のない車両環境設定情報を優先度の高い車両環境設定情報よりも優先度の低い車両環境設定情報として携帯装置から取得し、当該取得した車両環境設定情報を車両の運転環境設定を行う各部へ送信して車両の運転環境の設定を行わせるので、ユーザが車両へ乗車する際に早期に設定する必要のある車両環境設定項目の設定を行うまでの時間を短縮することができる。
【００３３】
（第２実施形態）
本発明の第２実施形態に係る運転環境設定システムの構成は、図１に示したものと同じである。本実施形態の運転環境設定システムを構成する車載装置１０の制御部１１で実行される車両環境設定処理のフローチャートを図４に示す。
【００３４】
次に、図４に従って、車載装置１０の制御部１１で実行される車両環境設定処理について説明する。この車両環境設定処理は、運転者が車両１００に乗車したことを検出した時点で開始される。なお、運転者が車両１００に乗車したことの検出は、例えば、運転席に設けられた着座センサによりユーザの着座を検出することにより行うことができる。
【００３５】
制御部１１は、車両環境設定処理を開始すると、まず、携帯装置２０からの接続要求の待ち受け状態となり、携帯装置２０からの接続要求があるか否かに基づいて携帯装置２０が検出されたか否かを判定する（Ｓ２００）。
【００３６】
ここで、携帯装置２０からの接続要求がない場合、Ｓ２００の判定はＮＯとなり、Ｓ２００の判定を繰り返す。また、携帯装置２０からの接続要求があると、Ｓ２００の判定はＹＥＳとなり、次に、ドアの開閉状態を示す信号に基づいて車両１００のドアが開いたか否かを判定する（Ｓ２０２）。
【００３７】
車両１００のドアが閉じた状態では、Ｓ２０２の判定はＮＯとなり、Ｓ２０２の判定を繰り返す。
【００３８】
また、車両１００のドアが開くと、Ｓ２０２の判定はＹＥＳとなり、次に、携帯装置２０に対し、第３の車両環境設定情報の送信を要求する（Ｓ２０４）。本実施形態における携帯装置２０の記憶には、図５に示すように、優先度の最も高い第３の車両環境設定情報と、この第３の車両環境設定情報の次に優先度の高い第４の車両環境設定情報と、この第４の車両環境設定情報の次に優先度の高い第５の車両環境設定情報とが分割して記憶されている。これらの車両環境設定情報は、ユーザが車両へ乗車する際に実施する複数の操作に対応付けて分類されている。第３の車両環境設定情報は、ドアが開状態となったときに読み込まれる情報であり、シートポジション、ステアリングポジション、ミラーポジションなどの各設定情報が含まれる。また、第４の車両環境設定情報は、エンジンがオン状態となったときに読み込まれる情報であり、走行系制御設定、ナビゲーション機能におけるメモリ地点などの各設定情報が含まれる。また、第５の車両環境設定情報は、パーキングブレーキが解除されたときに読み込まれる情報であり、エアコン設定、オーディオ設定などの各設定情報が含まれる。ここでは、第３の車両環境設定情報の送信を要求する。
【００３９】
続いて、Ｓ２０６では、携帯装置２０より送信される第１の車両環境設定情報を受信する。
【００４０】
続いて、Ｓ２０６では、Ｓ１０４にて受信した第１の車両環境設定情報を車両１００の運転環境設定を行う各制御装置へ送信する。具体的には、Ｓ２０６にて受信した第３の車両環境設定情報を、車両１００の運転環境設定を行う各種制御装置等へ送信して、各種制御装置に車両１００の運転環境の設定を行わせる。これにより、シートポジション、ステアリングポジション、ミラーポジションなどの車両１００の運転環境が、運転者用の運転環境に設定される。
【００４１】
続いて、エンジンがオン状態か否かを示す信号に基づいてエンジンがオン状態となったか否かを判定する（Ｓ２１０）。
【００４２】
エンジンがオン状態となっていない場合、Ｓ２１０の判定はＮＯとなり、Ｓ２１０の判定を繰り返す。
【００４３】
また、エンジンがオン状態になると、Ｓ２１０の判定はＹＥＳとなり、次に、第４の車両環境設定情報の送信を要求する（Ｓ２１２）。なお、この第４の車両環境設定情報の送信要求に応じて携帯装置２０より第４の車両環境設定情報が送信される。
【００４４】
続いて、Ｓ２１４では、携帯装置２０より送信される第４の車両環境設定情報を受信する。
【００４５】
続いて、Ｓ２１６では、Ｓ１１４にて受信した第４の車両環境設定情報を車両１００の運転環境設定を行う各制御装置へ送信する。具体的には、Ｓ２１４にて受信した第４の車両環境設定情報を、車両１００の運転環境設定を行う各種制御装置等へ送信して、各種制御装置に車両１００の運転環境の設定を行わせる。これにより、走行系制御設定、ナビゲーション機能におけるメモリ地点などの車両１００の運転環境が、運転者用の運転環境に設定される。
【００４６】
次に、パーキングブレーキがオン状態か否かを示す信号に基づいてパーキングブレーキが解除されたか否かを判定する（Ｓ２１８）。
【００４７】
パーキングブレーキがオン状態となっている場合、Ｓ２１８の判定はＮＯとなり、次に、第５の車両環境設定情報の送信を要求する（Ｓ２２０）。なお、この第５の車両環境設定情報の送信要求に応じて携帯装置２０より第５の車両環境設定情報が送信される。
【００４８】
続いて、Ｓ２２２では、携帯装置２０より送信される第５の車両環境設定情報を受信する。
【００４９】
続いて、Ｓ２２４では、Ｓ２２２にて受信した第５の車両環境設定情報を車両１００の運転環境設定を行う各制御装置へ送信する。具体的には、Ｓ２２２にて受信した第５の車両環境設定情報を、車両１００の運転環境設定を行う各種制御装置等へ送信して、各種制御装置に車両１００の運転環境の設定を行わせる。これにより、エアコン設定、オーディオ設定などの車両１００の運転環境が、運転者用の運転環境に設定される。
【００５０】
上記した構成によれば、ユーザが車両へ乗車する際に操作検出部により最初に検出される特定の操作に対応付けられた車両環境設定情報を優先度の高い車両環境設定情報として携帯装置から取得し、当該取得した車両環境設定情報を車両の運転環境設定を行う各部へ送信して車両の運転環境の設定を行わせた後、操作検出部により検出された特定の操作よりも後に検出された特定の操作に対応付けられた車両環境設定情報を優先度の高い車両環境設定情報よりも優先度の低い車両環境設定情報として携帯装置から取得し、当該取得した車両環境設定情報を車両の運転環境設定を行う各部へ送信して車両の運転環境の設定を行わせるので、ユーザが車両へ乗車する際に操作検出部により最初に検出される特定の操作に対応付けられた車両環境設定項目の設定を行うまでの時間を短縮することができる。
【００５１】
（その他の実施形態）
上記実施形態では、携帯電話端末を利用して携帯装置２０を構成したが、携帯電話端末に限定されるものではなく、例えば、スマートキー、携帯情報端末（ＰＤＡ）等の携帯型通信端末や、ＩＣカード、ＵＳＢメモリ、メモリカード等のデータ送受信機能を有する記憶装置等を利用して携帯装置２０を構成してもよい。
【００５２】
なお、上記実施形態における構成と特許請求の範囲の構成との対応関係について説明すると、通信部２３が第１の通信部に相当し、通信部１２が第２の通信部に相当し、各ＥＣＵ（ドアＥＣＵ、エンジンＥＣＵ、ブレーキＥＣＵ）が操作検出部に相当し、Ｓ１０２〜Ｓ１０６が第１の車両環境設定情報送信手段に相当し、Ｓ１０８〜Ｓ１１２が第２の車両環境設定情報送信手段に相当する。
【図面の簡単な説明】
【００５３】
【図１】本発明の第１、２実施形態に係る運転環境設定システムの構成を示す図である。
【図２】第１実施形態において車載装置の制御部で実行される車両環境設定処理のフローチャートである。
【図３】第１実施形態に係る第１、第２車両環境設定情報について説明するための図である。
【図４】第２実施形態において車載装置の制御部で実行される車両環境設定処理のフローチャートである。
【図５】第１実施形態に係る第３〜第５車両環境設定情報について説明するための図である。
【符号の説明】
【００５４】
１０    車載装置
１１    制御部
１２    通信部
２０    携帯装置
２１    制御部
２２    記憶部
２３    通信部
５１    シート位置制御装置
５２    ステアリング位置制御装置
５３    ミラー位置制御装置
５４    空調制御装置
５５    オーディオ制御装置
５６    ナビゲーション制御装置
５７    情報表示制御装置
５８    エンジン制御装置
５９    走行制御装置
１００  車両
【図１】
2009274558.tif 000003
【図２】
2009274558.tif 000004
【図３】
2009274558.tif 000005
【図４】
2009274558.tif 000006
【図５】
2009274558.tif 000007